(57)【特許請求の範囲】
【請求項１】
上方が開口したタンク部と、このタンク部の上方開口を覆うタンク蓋と、前記タンク部と前記タンク蓋とを結合する結合手段と、前記タンク蓋の天面に設けられる注水口と排水口および取手手段とを設け、機器本体に着脱自在に装着される貯水タンクとを備え、前記排水口を前記タンク蓋の端部に形成し、前記タンク蓋は、前記タンク部の開口内に嵌合可能に設け、前記タンク蓋と前記タンク部の隙間から前記タンク部内の水が漏洩するのを防止する漏洩防止手段を設け、前記漏洩防止手段を前記タンク蓋の外周に沿う垂下リブと、前記タンク蓋の外周に沿い上方に向く立上りリブと、この立上りリブの上端を前記タンク部の上端より低く形成して構成した貯水装置。
【発明の詳細な説明】
【技術分野】
【０００１】
本発明は、除湿装置などの機器本体に着脱自在に設けられるドレン水を貯水する貯水装置に関する。
【背景技術】
【０００２】
従来、この種の貯水装置の一例として取手を設けたドレンタンクが知られている（例えば、特許文献１参照）。
【０００３】
以下、そのドレンタンクについて図８を参照しながら説明する。
【０００４】
図に示すように、ドレンタンク１０１の上面１０２にドレン水をドレンタンク１０１内に導入するドレン口１０３を設け、ドレンタンク１０１の前面１０４の略中央部に取手１０５を設け、上面１０２にも取手１０６を設け、取手１０５、１０６は合成樹脂製のドレンタンク１０１に一体成形されている。
【０００５】
また、この種の貯水装置を設けた空気調和機が知られている（例えば、特許文献２参照）。
【０００６】
以下、その空気調和機について図９を参照しながら説明する。
【０００７】
図に示すように、上面が開口した排水タンク１０７は、ハウジング１０８に設けた収納部１０９に収納される形状で、排水タンク１０７の左側面１１０および右側面１１１には排水タンク１０７を取り出すための取手１１２、１１３がそれぞれ設けられている。
【特許文献１】特開平１０−２２７４３２号公報（［００１７］［００１８］、図２）
【特許文献２】特開平９−８９２９８号公報（［００１２］、図２）
【発明の開示】
【発明が解決しようとする課題】
【０００８】
このような従来のドレンタンクでは、合成樹脂製のドレンタンク１０１は一体成形されているのでドレンタンク１０１の内壁等に付着する水あかの掃除ができないという課題があり、ドレンタンク１０１の内部の掃除を容易にできるようにすることが要求されている。
【０００９】
また、従来の空気調和機では、排水タンク１０７の上面が開口しているため排水タンク１０７の取り出し時や運搬時に排水タンク１０７内に溜まったドレン水がこぼれ易いという課題があり、排水タンク１０７からドレン水がこぼれないようにすることが要求されている。
【００１０】
本発明は、このような従来の課題を解決するものであり、貯水タンク内部の掃除が容易で貯水タンクの取り出し時に貯水タンク内のドレン水がこぼれることがなく、排水時の運搬と排水作業が楽に出来る貯水装置を提供することを目的としている。
【課題を解決するための手段】
【００１９】
本発明の貯水装置は上記目的を達成するために、上方が開口したタンク部と、このタンク部の上方開口を覆うタンク蓋と、前記タンク部と前記タンク蓋とを結合する結合手段と、前記タンク蓋の天面に設けられる注水口と排水口および取手手段とを設け、機器本体に着脱自在に装着される貯水タンクとを備え、前記排水口を前記タンク蓋の端部に形成し、前記タンク蓋は、前記タンク部の開口内に嵌合可能に設け、前記タンク蓋と前記タンク部の隙間から前記タンク部内の水が漏洩するのを防止する漏洩防止手段を設け、前記漏洩防止手段を前記タンク蓋の外周に沿う垂下リブと、前記タンク蓋の外周に沿い上方に向く立上りリブと、この立上りリブの上端を前記タンク部の上端より低く形成したものである。
【００２０】
この手段により、万一、嵌合隙間から水滴が漏れ出しても、タンク蓋側に水滴は流れ込むので、貯水タンクの外にこぼれないこととなる貯水装置が得られる。
【発明の効果】
【００３６】
本発明によれば、上方が開口したタンク部と、このタンク部の上方開口を覆うタンク蓋と、前記タンク部と前記タンク蓋とを結合する結合手段と、前記タンク蓋の天面に設けられる注水口と排水口および取手手段とを設け、機器本体に着脱自在に装着される貯水タンクとを備え、前記排水口を前記タンク蓋の端部に形成し、前記タンク蓋は、前記タンク部の開口内に嵌合可能に設け、前記タンク蓋と前記タンク部の隙間から前記タンク部内の水が漏洩するのを防止する漏洩防止手段を設け、前記漏洩防止手段を前記タンク蓋の外周に沿う垂下リブと、前記タンク蓋の外周に沿い上方に向く立上りリブと、この立上りリブの上端を前記タンク部の上端より低く形成して構成したものであり、万一、タンク部とタンク蓋の嵌合隙間から水滴が漏れ出しても、高さの低いタンク蓋側に流れ、貯水タンクの外にこぼれないという作用を有し、タンク部内の水が漏洩するのを防止できる効果のある貯水装置を提供できる。
【発明を実施するための最良の形態】
【００４３】
本発明の請求項１記載の発明は、上方が開口したタンク部と、このタンク部の上方開口を覆うタンク蓋と、前記タンク部と前記タンク蓋とを結合する結合手段と、前記タンク蓋の天面に設けられる注水口と排水口および取手手段とを設け、機器本体に着脱自在に装着される貯水タンクとを備え、前記排水口を前記タンク蓋の端部に形成し、前記タンク蓋は、前記タンク部の開口内に嵌合可能に設け、前記タンク蓋と前記タンク部の隙間から前記タンク部内の水が漏洩するのを防止する漏洩防止手段を設け、前記漏洩防止手段を前記タンク蓋の外周に沿う垂下リブと、前記タンク蓋の外周に沿い上方に向く立上りリブと、この立上りリブの上端を前記タンク部の上端より低く形成して構成したものであり、万一、タンク部とタンク蓋の嵌合隙間から水滴が漏れ出しても、高さの低いタンク蓋側に流れ、貯水タンクの外にこぼれないという作用を有する。
【００５１】
以下、本発明の実施の形態について図面を参照にしながら説明する。
【００５２】
（実施の形態１）
図１〜図６に示すように、上方が開口したタンク部１とタンク部１の上方開口を覆うタンク蓋２と、タンク部１とタンク蓋２を結合する結合手段３と、タンク蓋２に設けられる注水口４と排水口５および取手手段６とを設け、除湿装置の本体７に着脱自在に装着される貯水タンク８を形成する。
【００５３】
そして、タンク部１は本体７の着脱方向に長く、前後の端部には円弧形状９で形成した椀状で、タンク部１の側部の略中央の対称位置には結合手段３が嵌る凹部１０を設け、透明または半透明の合成樹脂で形成し、タンク部１の内面にはタンク蓋２を受ける受部１ａを設け、前部には、本体７と同一材料で形成したカバー１１とカバー１１Ａが取り付けられている。
【００５４】
また、タンク蓋２には取手手段６の下方に受皿部１２を形成し、タンク蓋２の前部はタンク部１の円弧形状９と相似の円弧形状９Ａで形成し、タンク部１に嵌合可能に設け、タンク蓋２の外周には、下方に向く垂下リブ１３と、タンク部１の上端より低い形状で上方に向く立上がりリブ１４を設け、垂下リブ１３と立上がりリブ１４のそれぞれの作用によりタンク部１内の水が漏洩するのを防止する漏洩防止手段１５を形成し、タンク蓋２の天面には排水口５を端部側に寄せて設け、排水口５にはタンクキャップ１６を設ける。
【００５５】
また、注水口４が設けられるタンク蓋２の内面には注水口４の周囲に下方に向く壁を設け、貯水時の水跳ねによる水滴の飛び出しを防止する水跳ね防止手段１７を形成する。
【００５６】
また、結合手段３は、タンク蓋２を係止するために曲部により形成された蓋係止部１８を上部に設け、下部にはＬ字状に形成し、タンク部１の底部および側部に設けられた係止突起１９に係合する係合孔２０を設け、係止突起１９と係止孔２０によりタンク係止部２１を形成する。
【００５７】
また、貯水タンク８を着脱自在に収納する収納部２３を本体７に設け、収納部２３の内壁部２４より突出した補強リブなどと同一高さで、貯水タンク８の着脱方向に補正リブ２５を設ける。
【００５８】
また、タンク部１内に貯水される水滴が所定水位になると本体７の運転が停止されるようにフロートスイッチ２６を設けた構成としている。
【００５９】
上記構成において、貯水タンク８に貯水するときには、タンク部１にタンク蓋２を嵌合する。このとき、タンク部１とタンク蓋２の円弧形状９、９Ａにより容易に嵌合することができる。また、結合手段３の蓋係止部１８をタンク蓋２側に合てがい、次にタンク係止部２１の係合孔２０を弾性変形させてタンク部１に設けた係止突起１９によりなるタンク係止部２１に係合してタンク部１にタンク蓋２を結合したのち、貯水タンク８を本体７の収納部２３に収納して本体７側から排水される水滴を注水口４より流入させて貯水を行なうことができる。
【００６０】
そして、貯水タンク８内に貯水された水滴を排水するため、本体７より貯水タンク８を収納部２３に設けた補正リブ２５に沿い取り出し移動させるときに水面に波立ちが生じても、タンク蓋２の外周に設けた垂下リブ１３で形成した水が漏洩するのを防止する漏洩防止手段１５によりタンク部１外に水が漏洩するのが防止されるとともに、例えタンク部１の内壁とタンク蓋２の外壁との隙間から水が上昇したとしても、タンク蓋２に設けられる立上がりリブ１４の高さがタンク部１の側壁の高さより低く形成されている水が漏洩するのを防止する漏洩防止手段１５により、タンク蓋２上に水滴は流れ受皿部１２より受け止められ、タンク部１より洩れることがなくなる。
【００６１】
また、貯水タンク８の移動による振動等によりタンク部１内で水跳ねが生じても、注水口４の周囲に設けた壁よりなる水跳ね防止手段１７により水跳ねが防止され、注水口４から水滴が飛び出すことが防止できる。
【００６２】
また、排水時にはタンクキャップ１６を外すことにより、排水口５がタンク蓋２の端部に形成されていることにより排水作業が容易にできる。
【００６３】
また、貯水タンク８の清掃を行なうときには、タンク部１に結合しているタンク蓋２の結合手段３を形成する結合具２２のタンク係止部２１をタンク部１より外したのち蓋係止部１８をタンク蓋２より外し、タンク蓋２をタンク部１より取り外し、タンク部１内の清掃を行なうことができる。
【００６４】
（参考例１）
図７に示すように、タンク蓋２Ａにヒンジからなる連結手段２７の一端を設け、他端を結合手段３Ａに取り付け、タンク蓋２Ａに対し、結合手段３Ａを連結手段２７を介して可動可能に設け構成する。
【００６５】
上記構成において、タンク部１Ａにタンク蓋２Ａを取り付けることにより、結合手段３Ａを連結手段２７を介して取り付けているタンク蓋２Ａをタンク部１Ａの上方開口に嵌合したのち、結合手段３Ａを連結手段２７を介してタンク部１Ａの側部側に移動し、結合手段３Ａに設けた係合孔２０をタンク部１Ａに設けた係止突起１９に係合してタンク蓋２Ａをタンク部１Ａに取り付けることにより、結合手段３Ａを紛失することが防止されてることとなる。
【００６６】
なお、参考例１では、結合手段３Ａをタンク蓋２Ａに取り付けたが、結合手段３Ａをタンク部１Ａに取り付けタンク蓋２Ａに結合しても同様の効果をもたらすことはいうまでもない。
【産業上の利用可能性】
【００６７】
除湿装置の貯水タンクとして利用する以外に、汚水や廃液などの液体を少しずつ貯えて、廃棄または後処理するための貯液タンクとしての用途にも適用できる。
【図面の簡単な説明】
【００６８】
【図１】本発明の実施の形態１の貯水装置の分解斜視図
【図２】同貯水装置を本体に取り付けた状態を示す斜視図
【図３】同貯水装置の漏洩防止手段を示す断面図
【図４】同貯水装置の水跳ね防止手段を示すタンク蓋裏面の斜視図
【図５】同貯水装置の収納部を示す斜視図
【図６】同貯水装置の結合手段による結合前の状態を示す斜視図
【図７】参考例１の貯水装置の結合手段を示す断面図
【図８】従来のドレンタンクの斜視図
【図９】従来の空気調和機の排水タンク分離を示す斜視図
【符号の説明】
【００６９】
１    タンク部
１Ａ  タンク部
２    タンク蓋
２Ａ  タンク蓋
３    結合手段
３Ａ  結合手段
４    注水口
５    排水口
６    取手手段
７    本体
８    貯水タンク
９    円弧形状
９Ａ  円弧形状
１２  受皿部
１３  垂下リブ
１４  立上りリブ
１５  漏洩防止手段
１７  水跳ね防止手段
１８  蓋係止部
２１  タンク係止部
２３  収納部
２４  内壁部
２５  補正リブ
２６  フロートスイッチ
２７  連結手段
【図１】
0004453381.tif 000002
【図２】
0004453381.tif 000003
【図３】
0004453381.tif 000004
【図４】
0004453381.tif 000005
【図５】
0004453381.tif 000006
【図６】
0004453381.tif 000007
【図７】
0004453381.tif 000008
【図８】
0004453381.tif 000009
【図９】
0004453381.tif 000010